(57)【要約】【課題】送風される空気流自体によって周期的に変える空気調和装置の風向変更機構において、極めて簡単な構成で、低雑音の風向変更機構を提供する。【解決手段】空気調和機の風向変更機構において、送風される空気流によって回転する風車を設け、該風車のファンブレードは風向きに対して直交し水平方向に長く延びたローターであって、該ファンブレードは風車の外円周上に等間隔に配設するとともに、該風車には回転を減速する密閉箱に収納された無音ギヤ機構を設け、該無音ギヤ機構により減速させた回転をリンク機構によって往復動に変換し、風向変更機構の室内吹出口の上流近傍には風向きを変える断面ほぼＴ字状の揺動する風向ブレードを設け、前記風車の駆動軸と風向ブレードの揺動する揺動軸とを平行に配設し、該風向ブレードを揺動させて風向きを周期的に変える空気調和装置の風向変更機構である。【選択図】図１
0003098998.tif 000002
【実用新案登録請求の範囲】
【請求項１】
空気調和機の風向変更機構において、送風される空気流によって回転する風車を設け、該風車のファンブレードは風向きに対して直交し水平方向に長く延びたファンブレードであって、該ファンブレードは風車の外円周上に等間隔に配設するとともに、該風車には回転を減速する密閉箱に収納された無音ギヤ機構を設け、該無音ギヤ機構により減速させた回転をリンク機構によって往復動に変換し、風向変更機構の室内吹出口の上流近傍には風向きを変える断面ほぼＴ字状の揺動する風向ブレードを設け、前記風車の駆動軸と風向ブレードの揺動する揺動軸とを平行に配設し、該風向ブレードを揺動させて風向きを周期的に変えることを特徴とした空気調和装置の風向変更機構
【考案の詳細な説明】
【０００１】
【考案の属する技術分野】
この考案は、空気調和装置の風向変更機構、特に、送風される空気流自体によって吹き出す風向きを周期的に変えるスウィング機構の技術分野に属する。
【０００２】
【従来の技術】
従来、この種の空気調和装置の室内に供給する空気を吹き出す風向きを、送風される空気流自体によって周期的に変えるスイング機構は、例えば、特許文献１や特許文献２に開示されている。
【０００３】
【特許文献１】
特開平６−１３７６６２号公報
【特許文献２】
実開平４−４６４７号公報
【０００４】
【考案が解決しようとする課題】
ところで、上記従来の風向きを変えるスイング機構は、特許文献１および特許文献２に開示されているように、風車がプロペラ式であるので風車の回転軸とスイング機構の揺動軸とが直交するため、減速ギヤに傘歯車を使用する必要があり、このため伝動効率が悪くエネルギーロスや雑音が発生し、また、ギヤが露出してどうしても作動音が雑音として漏れ、塵などがギヤに付着すると故障の原因となることが多く、更に、風向変更機構も断面長楕円の羽根を用いているため風圧の損失も大きく、風向変化を効率よく行えないという問題点があった。
また、駆動伝達機構にベルトを用いることもあるが、ベルトは消耗品のためメンテナンスが頻繁に必要となり厄介であるといった問題点があった。
本考案は、上記の課題に鑑み、送風される空気流自体によって周期的に変える空気調和装置の風向変更機構において、極めて簡単な構成で、低雑音の風向変更機構を提供しようとするものである。
【０００５】
【課題を解決するための手段】
本考案は、空気調和機の風向変更機構において、送風される空気流によって回転する風車を設け、該風車のファンブレードは風向きに対して直交し水平方向に長く延びたファンブレードであって、該ローターは風車の外円周上に等間隔に配設するとともに、該風車には回転を減速する密閉箱に収納された無音ギヤ機構を設け、該無音ギヤ機構により減速させた回転をリンク機構によって往復動に変換し、風向変更機構の室内吹出口の上流近傍には風向きを変える断面ほぼＴ字状の揺動する風向ブレードを設け、前記風車の駆動軸と風向ブレードの揺動する揺動軸とを平行に配設し、該風向ブレードを揺動させて風向きを周期的に変えることを特徴とした空気調和装置の風向変更機構である。
【０００６】
【考案の実施の形態】
本考案の好適な空気調和機の風向変更機構の１実施例を図面に沿って説明する。
図１は、天井Ｆ等に取り付けられた空気調和機の空気吹出装置１であって、この空気吹出装置１は、中央空調装置（図示せず）からダクト１１で給気され、そのダクト１１の開口１２の近傍には風向変更板１３が設けられ、送風風路の上半分に送風されように構成され、その下流の送風通路に風車２が設けられ、その下流の通風路は下方に屈曲し、風向変更機構３が設けられた空気吹出口４が配置され、空気吹出口４の底面枠４１はほぼ天井Ｆと同位置に配置され、この空気吹出口４から空調された空気は室内に給気される。
【０００７】
まず、風車２および風向変更機構３の構成を説明すると、図２の側面図および図５の斜視図に示されるように、風車２は空気流（図１矢印Ａ）に対して直交するように設けられるが、風車２は一端（図２右端）の枠体１４に設けた軸受２１１に軸支され、他端（図２左端）はギヤ機構５の入力駆動軸５５にカップリング２４を介して支持されている。風車２の駆動軸２１に左右に一対の円板の外枠２２ａ，２２ｂが設けられ、この一対の外枠２２ａ，２２ｂの間に、空気流に対して直交し水平方向に長く延びたファンブレード２３を等間隔に配設し、かつ、ファンブレード２３の取り付け角度は回転軸とファンブレード２３の外周端を結ぶ線と所定の角度を有していて、風車２の全面からの風圧に対して時計方向に回転するように構成されている。この風車２のファンブレード２３は軽金属または合成樹脂製で回転する方向とは逆方向に「く」の字状の湾曲した平板状のであるので、風向変更板１３によって上半分に偏向された空気流によって時計方向に回転することになる。なお、「く」字状の湾曲した平板状に変えて湾曲した湾曲板状としてもよい。
したがって、風車２はダクト１１（図１）から送風されると、その送風される空気流自体によって回転する。
【０００８】
風向変更機構３は、送風される空気流自体によって回転する風車２の回転力を利用するが、風車２の駆動軸２１には、風車２の回転を減速する密閉箱５１に収納された無音ギヤ機構５が連接され、無音ギヤ機構５の出力駆動軸５２では所望の回転数が得られるように設定する。なお、密閉箱５１は風向変更機構３の枠体
１４に固着されている。
出力駆動軸５２の末端部には回転アーム５３が設られ、この回転アーム５３の適所にはピン５４が設けられてクランクレバー６の一端が揺動自在に取り付けられ、クランクレバー６の他端は風向ブレード３１に直結する揺動アーム３２のピン３２１に揺動自在に取り付けられる。
風向きを変える風向ブレード３１は、断面のほぼ中央の揺動軸３３を中心に揺動するが、前記揺動アーム３２とピン３２１は揺動軸３３の端部に取り付けられ、風向ブレード３１の断面はほぼＴ字状の形状をしており、Ｔ字状の頭部３１１で空気の流れを遮り、かつ、下方に長い板状部３１２で風向きを効率よく変更するもので、圧力損失も少ない。
図２から図５において、風向変更機構３の風向ブレード３１の設置位置は、空気吹出装置１の通風路が風車２を通過した後に下方に屈曲し、室内へ空気が吹き出す空気吹出口４の底面枠４１の上部の上流近傍に設置される。なお、揺動アーム３２、ピン３２１、揺動軸３３の端部の取り付け部分は、図３の右端の点検室４２に配置され、必要に応じて揺動アーム３２などの設定を変更する。なお、底面枠４１は、空気吹出装置１の枠体にはパッキン４１１を介して取り付けられている。
空気吹出口４の壁面は、図４に示すように、Ｔ字状の形状の風向ブレード３１が揺動するストロークの両端で空気の流れを阻止するように、Ｔ字状の形状の風向ブレード３１の端部と近接する一対の風向ガイド４３が設けれている。
上記の構成において、風車２の駆動軸２１と、ギヤ機構５の出力駆動軸５２と、風向変更機構３の風向ブレード３１の揺動軸３３は全て互いに平行に設けられている。したがって、従来のように、傘歯車を用いて各駆動軸を直交させる必要がないので雑音の発生も少なく、エネルギーロスおよび圧力損も少ない。
また、本実施例では、各軸受けやピンは合成樹脂製として、摩擦音を発生しないようにした。
【０００９】
ここで、風向ブレード３１の作動を説明するが、風車２が回転すると、風車２に伝動された回転アーム５３が回転し、クランクレバー６のリンク機構により、揺動アーム３２が左右動し、風向変更機構３は揺動軸３３を中心に回動するが、板状の風向ブレード３１の板状部３１２の方向に空気が流れることになる。これを、回転アーム５３の回転状態との関係を、図６に示してその動作を説明する。
（１）図６（ａ）の状態では、回転アーム５３は矢印Ｘ方向に回転するが、回転軸５２でのクランクレバー６の係止位置がほぼ最上部であるとき、クランクレバー６に連結された揺動アーム３２の係止位置も最上部となり、それに従って、板状の風向ブレード３１の傾きは上端が左側に傾き、右側に送風する。
（２）図６（ｂ）の状態では、回転アーム５３更に矢印Ｘ方向に回転し、板状の風向ブレード３１は垂直状態となり、真下に送風する。
（３）図６（ｃ）の状態では、回転アーム５３は更に矢印Ｘ方向に回転し、板状の風向ブレード３１の傾きは上端が右側に傾き、左側に送風する。
（４）図６（ｄ）の状態では、回転アーム５３は更に矢印Ｘ方向に回転し、板状の風向ブレード３１が垂直状態となり、真下に送風する。
（５）以後は、図６（ｄ）から図６（ａ）の状態に復帰し、（１）〜（４）の動作を繰り返すことになり、空気吹出口４からの風向きは周期的に変化することになる。
【００１０】
本実施例は以上のような構成であるから、極めて簡単な構成で、外部からの駆動源を必要とせず、吹き出す風向きを周期的に変えることができ、また、風車２の駆動軸２１と、ギヤ機構５の出力駆動軸５２と、風向変更機構３の風向ブレード３１の揺動軸３３は全て互いに直結が平行に設けれているので、従来のように、傘歯車を用いて各駆動軸を直交させる必要がないので雑音の発生も少なく、エネルギーロスおよび圧力損も少ない。
また、無音ギヤ機構５を、密閉箱５１の中に収納したので、ギヤ部分への塵埃や水滴の侵入を防止でき、動作音も軽減され、更に、軸受けやピンを合成樹脂製として摩擦音を低減させている。
なお、本考案の特徴を損うものでなければ、上記の実施例に限定されるものでないことは勿論である。
【００１１】
【考案の効果】
以上説明したように、本考案によれば、極めて簡単な構成で、外部からの駆動源を必要とせずに吹き出す風向きを周期的に変えることができ、また、風車の駆動軸と、風向変更機構の風向ブレードの揺動軸を平行にしたので、従来のように、傘歯車を用いて各駆動軸を直交させる必要がないので雑音の発生も少なく、エネルギーロスおよび圧力損も少ないという効果が得られる。また、無音ギヤ機構を、密閉箱の中に収納したので、ギヤ部分への塵埃や水滴の侵入を防止でき、動作音も軽減されるという効果を有する。
【図面の簡単な説明】
【図１】本考案の実施例の空気調和装置の風向変更機構全体の断面図である。
【図２】図２の正面からの風向変更機構の主要部の透視図である。
【図３】図１．図２の天井からの平面図である。
【図４】本実施例の空気吹出口４の近傍の断面図である。
【図５】本実施例の風向変更機構の主要部の斜視図である。
【図６】実施例の風向変更機構の動作を説明する説明図である。
【符号の説明】
Ａ…空気流、Ｆ…天井、Ｘ…回転アームの回転方向、Ｙ…風車の回転方向
１…空気吹出装置、１１…ダクト、１２…ダクト開口、１３…風向変更板、
１４…枠体、
２…風車、２１…駆動軸、２１１…軸受、２２ａ，２２ｂ…外枠、２３…ファンブレード、
２４…カップリング
３…風向変更機構、３１…風向ブレード、３１１…頭部、３１２…板状部、
３２…揺動アーム、３２１…ピン、３３…揺動軸
４…空気吹出口、４１…底面枠、４１１…パッキン、４２…点検室、
４３…風向ガイド、
５…無音ギヤ機構、５１…密閉箱、５２…出力駆動軸、５３…回転アーム、
５４…ピン、５５…入力駆動軸、
６…クランクレバー
【図１】
0003098998.tif 000003
【図２】
0003098998.tif 000004
【図３】
0003098998.tif 000005
【図４】
0003098998.tif 000006
【図５】
0003098998.tif 000007
【図６】
0003098998.tif 000008